(57)【要約】【解決手段】ラッチシステムは適切な嵌（かん）合接続装置の端子と接触するために端子モジュール内に複数の導電端子を取付けた、コネクタハウジングを提供する。少なくとも１本の細長のラッチアームは前側ラッチ端と後側端とを備える。ラッチアームは、その両端の中間部に拡大ピボット部全体を備える。ハウジングは、細長のラッチアームを収容するための拡大溝を含む。該溝は、ラッチアームのピボット部を収容するための拡大軸支部を備える。そして前記溝は、一方に拡大キャビティ部を備える。ラッチアームから独立したばねは、ラッチアームをラッチ方向に旋回するための、溝の拡大キャビティ部に配置されている。
2005535069.tif 000002
【特許請求の範囲】
【請求項１】
電気コネクタ用のラッチシステムであって、
前側嵌合端及び後側終端を備え、適切な嵌合接続装置の端子と接触するために端子モジュール内に複数の導電端子を取付けたコネクタハウジングと、
前側ラッチ端及び後側作動／ラッチ解除端を備える少なくとも１本の細長のラッチアームであって、その前側及び後側端の間に一体的なピボット部を備えたラッチアームとを有し、
前記ハウジングが、前側嵌合端及び後側終端の間に延在する細長の溝を備え、該溝が細長のラッチアームを、その前側ラッチ端がハウジングの前側嵌合端の近傍に位置し、その後側作動／ラッチ解除端がハウジングの後側終端に露出するように収容し、前記溝がラッチアームのピボット部を収容する拡大軸支部を備えるとともに、その一方の側に拡大キャビティ部を備え、
ラッチシステムは、更に、ラッチアームをそのピボット部を中心として旋回させ、ラッチアームの前側ラッチ端をラッチ方向に付勢するための、ラッチアームから独立したばねを有し、該ばねが、コネクタハウジング内の細長の溝の前記拡大キャビティ部内に配置されているラッチシステム。
【請求項２】
１対の前記細長のラッチアームを、コネクタハウジングの両側部に設けた対応する１対の前記細長の溝内に含む、請求項１に記載のラッチシステム。
【請求項３】
前記細長のラッチアームが金属材料で作成されている、請求項１に記載のラッチシステム。
【請求項４】
ラッチアームの後側作動／ラッチ解除端を覆う絶縁性カバーを含む、請求項３に記載のラッチシステム。
【請求項５】
前記ばね及び前記溝の拡大キャビティ部が、ラッチアームのピボット部及び溝の軸支部の後方に配置された、請求項１に記載のラッチシステム。
【請求項６】
前記ラッチアーム及び溝がコネクタハウジングの一方の側に配置され、前側ラッチ端を内側のラッチ方向に付勢するためにばねがラッチアームの内側に配置された、請求項５に記載のラッチシステム。
【請求項７】
前記ばねが板ばねであり、その両端が中間部の上に折返され、両端が互いに隣合い、かつ、中間部から離間されている、請求項１に記載のラッチシステム。
【請求項８】
前記ばねが金属材料で作成されている、請求項７に記載のラッチシステム。
【請求項９】
電気コネクタ用のラッチシステムであって、
前側嵌合端及び後側終端を備え、適切な嵌合接続装置の端子と接触する複数の導電端子を取付けたコネクタハウジングと、
金属材料で作成された１対の細長のラッチアームであって、各々が前側ラッチ端及び後側作動／ラッチ解除端を備えるとともに、前側及び後側端の間に一体的なピボット部を備えるラッチアームとを有し、
前記ハウジングが、前側嵌合端と後側終端との間でハウジングの両側部で延在する１対の細長の溝を備え、各溝が細長のラッチアームの１本を、その前側ラッチ端がハウジングの前側嵌合端の近傍に位置し、その後側作動／ラッチ解除端がハウジングの後側終端に露出するように収容し、各溝が各ラッチアームのピボット部を収容する拡大軸支部を備えるとともに、その一方の側に拡大キャビティ部を備え、
ラッチシステムは、更に、各ラッチアームをそのピボット部を中心として旋回させ、各ラッチアームの前側ラッチ端をラッチ方向に付勢するための、各ラッチアームから独立したばねを備え、該ばねが、コネクタハウジング内の細長の溝の前記拡大キャビティ部内に配置されているラッチシステム。
【請求項１０】
各ラッチアームの後側作動／ラッチ解除端を覆う絶縁性カバーを含む、請求項９に記載のラッチシステム。
【請求項１１】
各ばね及び各溝の拡大キャビティ部が、各ラッチアームのピボット部と溝の軸支部の後方に配置された、請求項９に記載のラッチシステム。
【請求項１２】
ラッチアームの前側ラッチ端を内側のラッチ方向に付勢するために前記ばねがラッチアームの内側に配置された、請求項１１に記載のラッチシステム。
【請求項１３】
各ばねが板ばねであり、その両端が中間部の上に折返され、両端が互いに隣合い、かつ、中間部から離間されている、請求項９に記載のラッチシステム。
【請求項１４】
電気コネクタ用のラッチシステムであって、
適切な嵌合接続装置の端子と接触するために複数の導電端子を端子モジュール内に取付けたコネクタハウジングと、
ハウジング上の細長の溝内に移動可能に取付けられ、前側ラッチ端及び後側端を備える少なくとも１本の細長のラッチアームと、
前側ラッチ端をラッチ方向に付勢するための、ラッチアームから独立したばねとを有し、前記ばねが板ばねであり、その両端が中間部の上に折返され、両端が互いに隣合い、かつ、中間部から離間され、前記ばねが、細長の溝と連通しているハウジング内の拡大キャビティ部内に取付けられているラッチシステム。
【請求項１５】
前記ばねが金属材料で作成されている、請求項１４に記載のラッチシステム。
【請求項１６】
前記細長のラッチアームが金属材料で作成されている、請求項１５に記載のラッチシステム。
【請求項１７】
１対の前記細長のラッチアームがコネクタハウジングの両側部に設けられ、対応する１対の前記ばねがラッチアームと作動的に結合されている、請求項１４に記載のラッチシステム。
【発明の詳細な説明】
【技術分野】
【０００１】
本発明は、一般に電気コネクタの技術に関し、詳細にはそのようなコネクタのためのラッチシステムに関する。
【背景技術】
【０００２】
一般に、電気コネクタは、通常、別のコネクタ等の相補的に嵌（かん）合する接続装置の端子に接続するための複数の導電端子を取付けた何らかの形のハウジングを有する。コネクタが嵌合装置や別のコネクタと嵌合されるとき、コネクタが誤って外れるのを防ぐために何らかの形のラッチ手段が設けられることが多い。
【発明の開示】
【発明が解決しようとする課題】
【０００３】
これまで、多くのラッチ装置やアーム等は、コネクタハウジングと一体的に形成されていた。しかしながら、そのような一体的ラッチアームは、十分なラッチ力を提供せず、また、壊れたり損傷したりしがちである。コネクタハウジングと独立のラッチアームが使用されてきたが、１対のラッチアームが使用されている場合は、それらのラッチアームを同時に外すことは困難である。また、ラッチアームと一体的に形成されたばね部材は、厳密な製造管理を使用しないと、予測可能な力を常に提供するとは限らない。力がばらつくと、ラッチ側方荷重に差が生じ、その結果、コネクタアセンブリの片側が外れ、信号が消失し、ラッチされた構成要素が破損する可能性がある。更に、別個のばね部材を備えたラッチアームは、例えば、ばね部材をラッチアームに取付ける手段のために、製造が容易ではない。本発明は、電気コネクタアセンブリに改善されたラッチアーム構造を提供することによって、これらの問題を解決しようとするものである。
【０００４】
したがって、本発明の目的は、電気コネクタ用の新規で、かつ、改善されたラッチシステムを提供することである。
【課題を解決するための手段】
【０００５】
本発明の例示的な実施形態において、コネクタハウジングは、前側嵌合端と後側終端とを有する。ハウジングは、適切な嵌合接続装置の端子と接触する複数の導電端子を有する。少なくとも１本の細長のラッチアームが、前側ラッチ端と後側作動／ラッチ解除端を有する。前記ラッチアームは、その前側及び後側端の間に拡大された一体的なピボット部を有する。前記ハウジングは、その前側嵌合端と後側終端との間に延在する細長の溝を有する。該溝は、細長のラッチアームを収容し、アームの前側ラッチ端は、前記ハウジングの前側嵌合端の近くにあり、アームの後側作動／ラッチ解除端は、前記ハウジングの後側終端に露出する。溝は、ラッチアームの拡大ピボット部を収容する拡大軸支部を有する。また、前記溝は、その一方の側に拡大キャビティ部を有する。ラッチアームをそのピボット部を中心として旋回させ、ラッチアームの前側ラッチ端をラッチ方向に付勢するために、前記ラッチアームから独立したばねが設けられる。該ばねは、コネクタハウジング内の細長の溝の拡大キャビティ部内に配置される。
【０００６】
本明細書に開示されているように、１対の細長のラッチアームが設けられ、コネクタハウジングの両側部に設けられた対応する１対の細長の溝内に配置される。細長のラッチアームは、金属材料から作成されていることが好ましい。各ラッチアームの後側作動／ラッチ解除端を覆う絶縁性カバーが設けられる。ばねも金属材料から作成されていることが好ましい。
【０００７】
本発明の一形態によれば、各ラッチアームのばねと各溝の拡大キャビティ部は、各ラッチアームのピボット部と溝の軸支部の後方に配置される。ばねは、アームの前側ラッチ端を内側方向のラッチ方向に付勢するようにラッチアームの内側で、かつ、前記アームのピボット部の後方に配置される。
【０００８】
本発明の別の形態によれば、各ばねは、両端が中間部の上に折返された板ばねとして形成される。両端は、互いに隣合い、かつ、中間部から離間されている。
【０００９】
本発明の他の目的、特徴及び利点は、添付図面に関して行われる以下の詳細な説明から明らかになるであろう。
【００１０】
新規であると考えられる本発明の特徴は、添付の特許請求の範囲において詳細に記載されている。本発明は、その目的及び利点とともに、添付図面とともに行われる以下の説明を参照することによって最もよく理解することができ、図面において同じ参照符号は同じ要素を示す。
【発明を実施するための最良の形態】
【００１１】
図面をより詳細に参照して説明を行う。最初に図１及び２を参照すると、本発明のラッチシステムは、全体を１０で示した電気コネクタにおいて実施されている。該電気コネクタ１０は、絶縁上側カバー１２、絶縁下側カバー１３、及び、２つの部分からなる導電性ハウジングを含む。２つの部分からなるカバーで取囲まれたハウジングは、全体を１８で示したカバーハウジング部品と、全体を２０で示したベースハウジング部品とを含む。前記ハウジングは、コネクタの前側嵌合端１４と後側終端１６を画定する。図１で最もよく分かるように、コネクタハウジング１８、２０の前側嵌合端１４は、適切な、すなわち、相補的に嵌合する接続装置、又は、別のコネクタのレセプタクル部を収容するプラグ２２を画定する。前記カバーハウジング部品１８とベースハウジング部品２０との間に、全体を２４で示した端子モジュール（図１においてのみ見える）が取付けられ、該端子モジュールは、嵌合コネクタの端子と接触する複数の導電端子２６を非導電性材料内に支持している。
【００１２】
図２で最もよく分かるように、前記コネクタハウジング１８、２０の後側終端１６は、マルチワイヤ電気ケーブル（図示せず）が貫通して配置されるケーブル収容口２８を有する。電気ケーブルの個々又は個別の電線、すなわち導体は、コネクタの端子２６に電気的に接続されている。実際には、図３で分かるように、前記ケーブル収容口２８の片側半分が、コネクタの前記カバーハウジング部品１８とベースハウジング部品２０のそれぞれにある。
【００１３】
図１及び２とともに図３を参照すると、本発明は、全体を３０で示した１対の細長のラッチアームに焦点を当てており、該ラッチアームは、前記カバーハウジング部品１８とベースハウジング部品２０内の全体を３２で示した溝の中に配置される。本質的には、ラッチアーム３０は、溝３２の中に位置決めされるとともに、２つのハウジング部品の間に挟まれている。図示を容易にするために、内部端子モジュール２４は、図３から除去されている（図４及び５も同様）。図３は、前記カバーハウジング部品１８の一方の溝３２の中に配置された一方のラッチアーム３０を示す。ラッチアームの長手方向の半分が、カバーハウジング部品の溝の中に配置されていることが分かる。ベースハウジング部品２０が、ベースハウジング部品１８の上に配置されると、ラッチアームは、前記ベースハウジング部品２０とカバーハウジング部品１８の両方の溝３２の中に等しく突出する。また、図３は、前記ベースハウジング部品２０が、複数の側面ラッチフランジ３４を備えることを示し、該側面ラッチフランジ３４は、前記カバーハウジング部品１８の外側にある複数のラッチリブ３６にパチンと嵌（はま）って、２つのハウジング部品を結合し、その間でラッチアームを挟持するとともに、端子モジュール２４を２部式のハウジング内に支持する。
【００１４】
図３とともに図４を参照すると、各ラッチアーム３０は、前側ラッチ端３０ａと後側作動／ラッチ解除端３０ｂを画定するように金属材料から打抜き成形された細長の部材である。ラッチアームには、その長手方向に補強リブ３０ｃが形成されている。前記前側ラッチ端３０ａは、相補的な嵌合コネクタのラッチ部品と係合する内側ラッチボス３０ｄを有する。各ラッチアームの後側作動／ラッチ解除端３０ｂは、１対の内側に曲げられた翼部３０ｅを有する。各ラッチアームの後側作動／ラッチ解除端３０ｂの上には、絶縁性カバー４０が配置されている。最後に、各ラッチアームは、その前側ラッチ端３０ａと後側作動／ラッチ解除端３０ｂとの間にピボット部４２が一体的に形成されるように打抜き成形されている。
【００１５】
更に、図３とともに図４を参照すると、前記ベースハウジング部品１８とカバーハウジング部品２０の各々の両側部に設けられた各溝３２は、実質的に同一であり、いくつかの部分又は区分を有する。まず第１に、各溝３２は細長で、ほぼコネクタの前側嵌合端１４と後側終端１６との間で各ハウジング部品の各側部に沿って延在している。この細長の溝は、図４で明確に分かるように、ラッチアーム３０の前側ラッチ端３０ａがコネクタの前側嵌合端１４に露出する状態で細長の前記ラッチアーム３０を収容するように構成されている。図４は、絶縁性カバー４０で囲まれたラッチアームの後側作動／ラッチ解除端がコネクタの後側終端１６よりも後方に露出又は突出している様子を示す。図４は、各溝３２が、各ラッチアームのピボット部４２を収容するためのピポットの位置である拡大軸支部４４を備えていることを最も良く示している。これにより、各ラッチアーム３０の前側ラッチ端３０ａと後側作動／ラッチ解除端３０ｂは、前記ピボット部４２を中心として、前側端については両方向矢印「Ａ」の方向、後端については両方向矢印「Ｂ」の方向に前後に動くことができる。ピボットが両端の間にあるので、後端が内側に動くときは前端が外側に動き、その逆のときは逆に動く。また、各溝３２内には、軸支部４４の後方に拡大キャビティ部４６が設けられている。キャビティ部は、全体を４８で示したばねを収容しており、このばねについては、後でより詳細に説明する。該ばねが、ピボットの後方、すなわち、ピボットの拡大軸支部４４の後方で、かつ、ラッチアームの内側に配置されているので、ばねは前記ラッチアームの後側端を外方に付勢し、ラッチアームの前側端をラッチ方向に内方に付勢するのに有効である。
【００１６】
各溝３２は、溝の後部近くの内側にオーバトラベル防止当接面４７を有する。図４でよく分かるように、オーバトラベル防止当接面４７は、図示したようにラッチアームがばねで付勢されたラッチ位置にあるときに、５０で示したようにラッチアームの後端３０ｂから離間されている。
【００１７】
各ばね４８は、両端４８ａがばねの中間部４８ｂの上に折返された金属板ばねとして形成されている。したがって、ばねの両端４８ａは互いに隣合っており、図示したように前記中間部４８ｂから離間されている。板ばねのこの独特な構造により、折返された両端４８ａが、２つのばねアームを提供し、それにより単一のばね部品によるばね力を２倍にすることができる。ばねを各ラッチアーム３０と独立に設けることによって、設計パラメータに応じて様々な力及び／又はばね特性を提供するために、ばねにラッチアームと異なる材料を使用することができる。拡大キャビティ部４６に容易に滑込むように設計されたこの単純なばね構造によって、製造が更に容易になる。
【００１８】
図４と図５を比較すると、ラッチアーム３０の作動／ラッチ解除端３０ｂが、矢印「Ｃ」の方向に内側に動かされたことが分かる。これにより、ばねアームが拡大ピボット部４２を中心として旋回して、前記ばねアームの前側ラッチ端３０ａが矢印「Ｄ」の方向に外側に動き、その結果、コネクタをその相補的な嵌合接続装置、又は、別のコネクタからラッチ解除することができる。また、図５は、ラッチアームの後側端が、溝３２の内側の溝の後部にあるオーバトラベル当接面４７に当たっていることを示す。このオーバトラベル防止面は、ラッチアームが内側に過剰に付勢されてラッチアーム及び／又はばね４８が破損又は変形するのを防ぐ。
【００１９】
本発明は、その精神又は中心的特徴から逸脱することなく他の特定の形態で実施できることが理解されよう。したがって、上記の実施例と実施形態は、すべての点において例示的であり限定的でないと考えるべきであり、本発明は、本明細書に示した詳細に限定されない。
【図面の簡単な説明】
【００２０】
【図１】本発明のラッチシステムを具体化した電気コネクタの前側嵌合端に向かって見た斜視図である。
【図２】電気コネクタの後側終端を向かって見た斜視図である。
【図３】内部端子モジュールを除去した状態の電気コネクタの分解斜視図である。
【図４】１本のラッチアームと独立したばねが取付けられた状態のベースハウジング部品を見た上面図である。
【図５】ラッチアームがラッチ解除位置に旋回された状態の図４と類似の図である。
【図１】
2005535069.tif 000003
【図２】
2005535069.tif 000004
【図３】
2005535069.tif 000005
【図４】
2005535069.tif 000006
【図５】
2005535069.tif 000007
【手続補正書】
【提出日】平成15年10月30日(2003.10.30)
【手続補正１】
【補正対象書類名】特許請求の範囲
【補正対象項目名】全文
【補正方法】変更
【補正の内容】
【特許請求の範囲】
【請求項１】
電気コネクタ用のラッチシステム（１０）であって、
前側嵌合端（１４）及び後側終端（１６）を備え、適切な嵌合接続装置の端子と接触するために端子モジュール（２４）内に複数の導電端子（２６）を取付けたコネクタハウジング（１８，２０）と、
前側ラッチ端（３０ａ）及び後側作動／ラッチ解除端（３０b ）を備える少なくとも１本の細長のラッチアーム（３０）であって、その前側及び後側端の間に一体的なピボット部（４２）を備えたラッチアーム（３０）とを有し、
前記ハウジング（１８、２０）が、前側嵌合端及び後側終端の間に延在する細長の溝（３２）を備え、該溝が細長のラッチアーム（３０）を、その前側ラッチ端（３０ａ）がハウジング（１４）の前側嵌合端の近傍に位置し、その後側作動／ラッチ解除端（３０ｂ）がハウジングの後側終端（１６）に露出するように収容し、前記溝がラッチアームのピボット部（４２）を収容する拡大軸支部（４４）を備えるとともに、その一方の側に拡大キャビティ部（４６）を備え、
ラッチシステムは、更に、ラッチアーム（３０）をそのピボット部（４２）を中心として旋回させ、ラッチアームの前側ラッチ端（３０ａ）をラッチ方向に付勢するための、ラッチアームから独立したばね（４８）を有し、該ばね（４８）は、コネクタハウジング内の細長の溝の前記拡大キャビティ部（４６）内に配置され、両端を備える板ばねであり、その両端（４８ａ）が中間部（４８b ）の上に折返され、両端が互いに隣合い、かつ、前記中間端から離間されているラッチシステム。
【請求項２】
１対の前記細長のラッチアーム（３０）を、コネクタハウジングの両側部に設けた対応する１対の前記細長の溝（３２）内に含む、請求項１に記載のラッチシステム。
【請求項３】
前記細長のラッチアーム（３０）が金属材料で作成されている、請求項１に記載のラッチシステム。
【請求項４】
ラッチアームの後側作動／ラッチ解除端（３０b ）を覆う絶縁性カバー（４０）を含む、請求項３に記載のラッチシステム。
【請求項５】
前記ばね（４８）及び前記溝（３２）の拡大キャビティ部（４６）が、ラッチアームのピボット部（４２）及び溝の軸支部（４４）の後方に配置された、請求項１に記載のラッチシステム。
【請求項６】
前記ラッチアーム（３０）及び溝（３２）がコネクタハウジングの一方の側に配置され、前側ラッチ端（３０ａ）を内側のラッチ方向に付勢するためにばね（４８）がラッチアームの内側に配置された、請求項５に記載のラッチシステム。
【請求項７】
電気コネクタ用のラッチシステム（１０）であって、
前側嵌合端（１４）及び後側終端（１６）を備え、適切な嵌合接続装置の端子と接触する複数の導電端子（２６）を取付けたコネクタハウジング（１８，２０）と、
金属材料で作成された１対の細長のラッチアーム（３０）であって、各々が前側ラッチ端（３０ａ）及び後側作動／ラッチ解除端（３０b ）を備えるとともに、前側及び後側端の間に一体的なピボット部（４２）を備えるラッチアームとを有し、
前記ハウジング（１８，２０）が、前側嵌合端（１４）と後側終端（１６）との間でハウジングの両側部で延在する１対の細長の溝（３２）を備え、各溝が細長のラッチアーム（３０）の１本を、その前側ラッチ端（３０ａ）がハウジングの前側嵌合端（１４）の近傍に位置し、その後側作動／ラッチ解除端（３０b ）がハウジングの後側終端（１６）に露出するように収容し、各溝（３２）が各ラッチアームのピボット部（４２）を収容する拡大軸支部（４４）を備えるとともに、その一方の側に拡大キャビティ部（４６）を備え、
ラッチシステムは、更に、各ラッチアーム（３０）をそのピボット部（４２）を中心として旋回させ、各ラッチアームの前側ラッチ端（３０ａ）をラッチ方向に付勢するための、各ラッチアームから独立したばね（４８）を備え、該ばね（４８）が、コネクタハウジング内の細長の溝の前記拡大キャビティ部（４６）内に配置され、両端を備える板ばねであり、その両端（４８ａ）が中間部（４８b ）の上に折返され、両端が互いに隣合い、かつ、前記中間端から離間されているラッチシステム。
【請求項８】
各ラッチアームの後側作動／ラッチ解除端（３０b ）を覆う絶縁性カバー（４０）を含む、請求項９に記載のラッチシステム。
【請求項９】
各ばね（４８）及び各溝（３２）の拡大キャビティ部（４６）が、各ラッチアームのピボット部と溝の軸支部（４４）の後方に配置された、請求項９に記載のラッチシステム。
【請求項１０】
ラッチアームの前側ラッチ端を内側のラッチ方向に付勢するために前記ばね（４８）がラッチアーム（３０）の内側に配置された、請求項１１に記載のラッチシステム。
【手続補正書】
【提出日】平成16年6月4日(2004.6.4)
【手続補正１】
【補正対象書類名】特許請求の範囲
【補正対象項目名】全文
【補正方法】変更
【補正の内容】
【特許請求の範囲】
【請求項１】
電気コネクタ用のラッチシステム（１０）であって、
前側嵌合端（１４）及び後側終端（１６）を備え、適切な嵌合接続装置の端子と接触する複数の導電端子（２６）を取付けたコネクタハウジング（１８、２０）と、
１対の細長のラッチアーム（３０）であって、各々が前側ラッチ端（３０ａ）及び後側作動／ラッチ解除端（３０ｂ）を備えるとともに、前側及び後側端の間に一体的なピボット部（４２）を備えるラッチアームとを有し、
前記ハウジング（１８、２０）が、ハウジングの両側部で延在する１対の細長の溝（３２）を備え、各溝が細長のラッチアーム（３０）の１本を、その前側ラッチ端（３０ａ）がハウジングの前側嵌合端（１４）の近傍に位置するように受容し、
ラッチシステムは、更に、各ラッチアーム（３０）をそのピボット部（４２）を中心として旋回させ、各ラッチアームの前側ラッチ端（３０ａ）をラッチ方向に付勢するための、各ラッチアームから独立したばね（４８）を有し、
前記ラッチアーム（３０）は金属材料で作成され、
前記ハウジング（１８、２０）の細長の溝（３２）は、前記ハウジングの前側嵌合端（１４）と後側終端（１６）との間で延在し、ラッチアーム（３０）の後側作動／ラッチ解除端（３０ｂ）がハウジングの後側終端（１６）に露出し、各溝（３２）が各ラッチアームのピボット部（４２）を収容する拡大軸支部（４４）を備えるとともに、その一方の側に拡大キャビティ部（４６）を備え、
各ばね（４８）は、コネクタハウジング内の細長の溝の前記拡大キャビティ部（４６）内に配置され、両端を備える板ばねであり、その両端（４８ａ）が中間部（４８ｂ）の上に折返され、両端が互いに隣合い、かつ、前記中間端から離間されていることを特徴とするラッチシステム。
【請求項２】
各ラッチアームの後側作動／ラッチ解除端（３０b ）を覆う絶縁性カバー（４０）を含む、請求項１に記載のラッチシステム。
【請求項３】
各ばね（４８）及び各溝の拡大キャビティ部（４６）が、各ラッチアームのピボット部（４２）と溝（３２）の軸支部（４４）の後方に配置された、請求項１に記載のラッチシステム。
【請求項４】
ラッチアームの前側ラッチ端を内側のラッチ方向に付勢するために前記ばね（４８）がラッチアーム（３０）の内側に配置された、請求項３に記載のラッチシステム。
【国際調査報告】
2005535069.tif 000008
2005535069.tif 000009
2005535069.tif 000010